(57)【要約】      （修正有）【課題】靴底への一対のブレードの取付構造を簡素化すると共にブレードのメンテナンス作業性を向上させることができるアイススケート靴を提供する。【解決手段】アイススケート靴は、靴本体２１と、靴本体２１の靴底２１ａに取り付けられ、下方に突出する突出部３３を有する靴底部材３１と、靴本体２１の前後方向に延びる平板状の一対のブレード４１、４２であって、各々が氷接地面を有する一対のブレード４１、４２と、を備えている。一対のブレード４１、４２の間に、靴底部材３１の突出部３３が介在されている。一対のブレード４１、４２は、締結手段５１により、靴底部材３１の突出部３３に締結されている。【選択図】図２
0003180425.tif 000002
【実用新案登録請求の範囲】
【請求項１】
靴本体と、
前記靴本体の靴底に取り付けられ、下方に突出する突出部を有する靴底部材と、
前記靴本体の前後方向に延びる平板状の一対のブレードであって、各々が氷接地面を有する一対のブレードと、を備え、
一対の前記ブレードの間に、前記靴底部材の前記突出部が介在され、
一対の前記ブレードは、締結手段により、前記靴底部材の前記突出部に締結されていることを特徴とするアイススケート靴。
【請求項２】
前記締結手段は、一対の前記ブレードおよび前記突出部を共締めしていることを特徴とする請求項１に記載のアイススケート靴。
【請求項３】
前記靴底部材は、削りだし加工によって一体に形成されていることを特徴とする請求項１または２に記載のアイススケート靴。
【請求項４】
前記靴本体の前記靴底に取り付けられると共に前記靴底部材より前記靴本体の後方に配置された第２の靴底部材であって、下方に突出する第２の突出部を有する第２の靴底部材を更に備え、
一対の前記ブレードの間に、前記第２の靴底部材の前記第２の突出部が介在され、
一対の前記ブレードは、第２の締結手段により、前記第２の靴底部材の前記第２の突出部に締結されていることを特徴とする請求項１乃至３のいずれかに記載のアイススケート靴。
【請求項５】
前記靴底部材は、２つの前記突出部を有していることを特徴とする請求項１乃至４のいずれかに記載のアイススケート靴。
【考案の詳細な説明】
【技術分野】
【０００１】
本考案は、一対のブレードを有するアイススケート靴に係り、とりわけ、靴底へのブレードの取付構造を簡素化すると共にブレードのメンテナンス作業性を向上させることができるアイススケート靴に関する。
【背景技術】
【０００２】
従来より、靴底に、氷接地面を有する複数のブレードが取り付けられたアイススケート靴が知られている（例えば、特許文献１乃至３参照）。このようなアイススケート靴は、ブレードが１つだけ取り付けられたアイススケート靴に比べて、氷上での安定性を増すことができ、スケートの初心者が使用することに適したものとなっている。
【先行技術文献】
【特許文献】
【０００３】
【特許文献１】実開昭５２−８７３８１号公報
【特許文献２】実開平７−１９７１号公報
【特許文献３】実開昭６０−２５４０３号公報
【考案の概要】
【考案が解決しようとする課題】
【０００４】
このうち、特許文献１および２に示されているアイススケート靴では、複数のブレードは、互いに離間して靴底に固定されている。このため、ブレードの氷接地面を磨く等のメンテナンスの際には、その作業性に問題が生じ得る。
【０００５】
特許文献３には、靴底からブレードが取り外し自在なアイススケート靴が記載されている。このアイススケート靴においては、靴底プレートに雄ねじ部が設けられ、ブレードに、靴底の雄ねじ部に螺合する雌ねじ部を有する締付キャップが設けられている。締付キャップを締めることにより、ブレードを靴底に取り付け、締付けキャップを緩めることにより、ブレードを靴底から取り外し可能になっている。このため、特許文献３に示すアイススケート靴には、ブレードの取付構造が複雑化するという問題がある。また、取り外されたブレードには、締め付けキャップが取り付けられているため、メンテナンス作業の妨げとなる可能性がある。
【０００６】
本考案は、このような点を考慮してなされたものであり、靴底への一対のブレードの取付構造を簡素化すると共にブレードのメンテナンス作業性を向上させることができるアイススケート靴を提供することを目的とする。
【課題を解決するための手段】
【０００７】
本考案は、靴本体と、前記靴本体の靴底に取り付けられ、下方に突出する突出部を有する靴底部材と、前記靴本体の前後方向に延びる平板状の一対のブレードであって、各々が氷接地面を有する一対のブレードと、を備え、一対の前記ブレードの間に、前記靴底部材の前記突出部が介在され、一対の前記ブレードは、締結手段により、前記靴底部材の前記突出部に締結されていることを特徴とするアイススケート靴を提供する。
【０００８】
なお、上述したアイススケート靴においては、前記締結手段は、一対の前記ブレードおよび前記突出部を共締めしている、ことが好ましい。
【０００９】
また、上述したアイススケート靴においては、前記靴底部材は、削りだし加工によって一体に形成されている、ことが好ましい。
【００１０】
また、上述したアイススケート靴においては、前記靴本体の前記靴底に取り付けられると共に前記靴底部材より前記靴本体の後方に配置された第２の靴底部材であって、下方に突出する第２の突出部を有する第２の靴底部材を更に備え、一対の前記ブレードの間に、前記第２の靴底部材の前記第２の突出部が介在され、一対の前記ブレードは、第２の締結手段により、前記第２の靴底部材の前記第２の突出部に締結されている、ことが好ましい。
【００１１】
さらに、上述したアイススケート靴においては、前記靴底部材は、２つの前記突出部を有している、ことが好ましい。
【考案の効果】
【００１２】
本考案によれば、靴底への一対のブレードの取付構造を簡素化すると共にブレードのメンテナンス作業性を向上させることができる。
【図面の簡単な説明】
【００１３】
【図１】図１は、本考案の実施の形態におけるアイススケート靴を示す側面図である。
【図２】図２は、図１のアイススケート靴を示す下面図である。
【図３】図３は、図１のアイススケート靴において、ブレードの取付構造を説明するための断面図である。
【考案を実施するための形態】
【００１４】
図１乃至図３を用いて、本考案の実施の形態におけるアイススケート靴について説明する。なお、本明細書に添付する図面においては、図示と理解のしやすさの便宜上、適宜縮尺および縦横の寸法比等を、実物のそれらから変更し誇張してある。
【００１５】
図１に示すように、アイススケート靴１０は、靴本体２１と、靴本体２１の靴底２１ａに取り付けられた第１の靴底部材（靴底部材）３１と、を備えている。このうち、第１の靴底部材３１は、図２に示すように、靴底プレート３２と、靴底プレート３２から下方に突出する矩形状の２つの第１の突出部（突出部）３３と、を有している。
【００１６】
靴底プレート３２には、複数の取付穴３２ａが設けられている。このことにより、各取付穴３２ａに、ボルト等の締結部材（図示せず）を挿入して締め付けることにより、靴底部材３１が靴本体２１の靴底２１ａに取り付けられるようになっている。
【００１７】
各第１の突出部３３は、図３に示すように、互いに対向する一対の当接面３４を有している。各当接面３４は、下方に延びるように形成されており、各当接面３４に、後述する平板状のブレード４１、４２が当接するようになっている。
【００１８】
上述した靴底プレート３２および第１の突出部３３を有する靴底部材３１は、削りだし加工によって一体に形成されている。
【００１９】
また、図１および図２に示すように、靴本体２１の靴底２１ａには、第２の靴底部材３５が取り付けられている。すなわち、第１の靴底部材３１は、靴本体２１の前方（つま先側）に配置され、第２の靴底部材３５は、第１の靴底部材３１より後方（かかと側）に配置されている。第２の靴底部材３５は、第１の突出部３３と同様な第２の突出部３７を一つだけ有しているが、この点以外は、第１の靴底部材３１と同様の構成を有しており、ここでは、詳細な説明は省略する。なお、第２の靴底部材３５は、第１の靴底部材３１と同様に、削りだし加工によって一体に形成されていることが好適である。
【００２０】
第１の靴底部材３１の各第１の突出部３３および第２の靴底部材３５の第２の突出部３７に、一対のブレード（第１ブレード４１および第２ブレード４２）が取り外し自在に取り付けられている。各ブレード４１、４２は、靴本体２１の前後方向に延びると共に平板状に形成されている。
【００２１】
第１ブレード４１と第２ブレード４２との間には、第１の靴底部材３１の各第１の突出部３３および第２の靴底部材３５の第２の突出部３７が介在されている。より具体的には、図３に示すように、第１ブレード４１が、各第１の突出部３３の一方（図３の左側）の当接面３４および第２の突出部３４の一方の当接面（図示せず）に当接し、第２ブレード４２が、各第１の突出部３３の他方（図３の右側）の当接面３４および第２の突出部３４の他方の当接面（図示せず）に当接している。
【００２２】
各ブレード４１、４２は、氷上に接地される氷接地面４３を有している。氷接地面４３は、図３に示すように、ブレード４１、４２の幅方向において平坦状に形成されている。このことにより、氷上での安定性を向上させている。また、図１に示すように、各ブレード４１、４２の先端部には、フィギュア用アイススケート靴特有のトウピック（トウ）は設けられておらず、当該先端部は滑らかに形成されている。このことにより、各ブレード４１、４２の先端が氷に食い込むことが抑制され、操作性を向上させている。
【００２３】
図３に示すように、一対のブレード４１、４２は、第１の締結手段５１により各第１の突出部３３に締結されている。この第１の締結手段５１は、一対のブレード４１、４２および各第１の突出部３３を共締めしている。すなわち、第１の締結手段５１は、ボルト５２と、このボルト５２に螺合するナット５３と、を有しており、このうちボルト５２は、第１ブレード４１、第１の突出部３３および第２ブレード４２を貫通可能な長さを有している。一方、各第１の突出部３３には、貫通穴３３ａが設けられ、各ブレード４１、４２には、貫通穴４４が設けられている。このようにして、ボルト５２が、各第１の突出部３３の貫通穴３３ａおよび各ブレード４１、４２の貫通穴４４に挿入されて、ナット５３と螺合して締め付けられ、これにより、２枚のブレード４１、４２が各第１の突出部３３に共締めされている。すなわち、一組のボルト５２とナット５３とにより、第１の突出部３３に、第１ブレード４１および第２ブレード４２が取り付けられるようになっている。なお、第１の締結手段５１は、ブレード４１、４２を第１の突出部３３に締結可能であれば、ボルト５２ではなく、ねじ等の他の締結部材を用いてもよい。
【００２４】
同様にして、図２に示すように、一対のブレード４１、４２は、第２の締結手段５５により第２の突出部３７に締結されている。第２の締結手段５５は、第１の締結手段５１と同様な構成を有し、同様な方法によりブレード４１、４２を共締めするようになっており、ここでは、詳細な説明は省略する。
【００２５】
図１乃至図３に示されているように、第１ブレード４１と第２ブレード４２との間に、円筒状の補強部材６１が介在されている。このことにより、ブレード４１、４２が補強され、ブレード４１、４２の変形を防止すると共に安定性を向上させている。
【００２６】
図３に示すように、各補強部材６１は、皿ボルト６３によって各ブレード４１、４２に取り付けられるようになっている。すなわち、各補強部材６１は、ねじ穴６２を有しており、各ブレード４１、４２には、このねじ穴６２に対応する位置に貫通穴４５が設けられている。このようにして、皿ボルト６３が、各ブレード４１、４２の貫通穴４５に挿入されて、補強部材６１のねじ穴６２に螺合し、補強部材６１が各ブレード４１、４２に締結されるようになっている。なお、補強部材６１は、皿ボルト６３以外のボルトまたはねじ等の他の締結部材によって取り付けられるようにしてもよい。また、図１および図２に示す形態では、一対のブレード４１、４２の間に３つの補強部材６１が介在されているが、補強部材６１の個数はこれに限られることはない。
【００２７】
次に、このような構成からなる本実施の形態の作用について説明する。
【００２８】
メンテナンスとしてブレード４１、４２の氷接地面４３を磨く場合、まず、ブレード４１、４２を第１の突出部３３に締結している第１の締結手段５１のボルト５２およびナット５３が緩められて、ブレード４１、４２の貫通穴４４および各第１の突出部３３の貫通穴３３ａから取り出される。同様にして、第２の締結手段５５が緩められて、ボルトとナットとが取り出される。このことにより、ブレード４１、４２が、各第１の突出部３３および第２の突出部３７から取り外される。
【００２９】
続いて、補強部材６１を締結している皿ボルト６３が緩められて、補強部材６１のねじ穴６２および各ブレード４１、４２の貫通穴４５から取り出される。このことにより、ブレード４１、４２の間から補強部材６１が取り外される。
【００３０】
その後、２枚の平板状のブレード４１、４２が互いに重ね合わされ、この状態で、ブレード４１、４２の氷接地面４３が磨かれる。この場合、２枚のブレード４１、４２を一度に磨くことができ、ブレード４１、４２の氷接地面４３を効率良く磨くことが可能となる。
【００３１】
ブレード４１、４２の氷接地面４３の磨き作業が終了した後、上述した手順と逆の手順で２枚のブレード４１、４２が靴底部材３１、３２に取り付けられる。その後、アイススケート靴１０を使用することが可能となる。
【００３２】
このように本実施の形態によれば、一対のブレード４１、４２の間に、靴本体２１の靴底２１ａに取り付けられた靴底部材３１、３５の各突出部３３、３７を介在させて、各突出部３３、３７に一対のブレード４１、４２が締結されている。このことにより靴底部材３１、３５から取り外し可能な一対のブレード４１、４２の靴底部材３１、３５への取り付け構造を簡素化することができる。また、このような構成により、取り外し可能な一対のブレード４１、４２を、これらの間の距離（間隔）を短くして靴底部材３１、３５に固定することもできる。この場合、安定性の向上を目的として２枚のブレード４１、４２が取り付けられたアイススケート靴１０でありながら、スケート本来の斜傾動作を改善し、操作性を向上させることができる。
【００３３】
また、本実施の形態によれば、ブレード４１、４２の氷接地面４３をメンテナンスとして磨く場合、ブレード４１、４２を各靴底部材３１、３５の各突出部３３、３７から取り外して磨くことができる。このことにより、ブレード４１、４２のメンテナンス作業性を向上させることができる。とりわけ、本実施の形態によれば、取り外される一対のブレード４１、４２は、平板状に形成されている。このことにより、ブレード４１、４２の氷接地面４３を磨く際に、２枚のブレード４１、４２を重ねて一度に磨くことができ、ブレード４１、４２のメンテナンス作業性をより一層向上させることができる。
【００３４】
また、本実施の形態によれば、一対のブレード４１、４２を各靴底部材３１、３２の各突出部３３、３７から容易に取り外すことができ、平板状のブレード４１、４２のみを容易に交換することができる。また、平板状のブレード４１、４２のみを交換可能であることから、ブレード４１、４２を交換する場合に必要な費用を低減することができる。
【００３５】
また、本実施の形態によれば、一対のブレード４１、４２は、締結手段５１、５５により、各靴底部材３１、３５の各突出部３３、３７に共締めされている。このことにより、靴底部材３１、３５に２枚のブレード４１、４２を締結する締結手段５１、５５の個数を低減することができ、靴底部材３１、３５への２つのブレード４１、４２の取り付けおよび取り外し作業時間を短縮し作業性を向上させることができる。
【００３６】
また、本実施の形態によれば、靴底部材３１、３５は、削りだし加工によって一体に形成されている。このことにより、靴底部材３１、３５の機械的強度を増大させることができる。また、この場合、小ロットでの製作に容易に対応可能となる。
【００３７】
また、本実施の形態によれば、一対のブレード４１、４２は、第１の靴底部材３１の第１の突出部３３と、第１の靴底部材３１より靴本体２１の後方に配置された第２の靴底部材３５の第２の突出部３７とに、締結されている。このことにより、靴本体２１に取り付けられた一対のブレード４１、４２の取付安定性を向上させることができる。さらに、本実施の形態によれば、第１の靴底部材３１は、２つの第１の突出部３３を有しており、各第１の突出部３３に、一対のブレード４１、４２が締結されている。このことにより、靴本体２１に取り付けられた一対のブレード４１、４２の取付安定性を向上させることができる。
【００３８】
なお、上述した本実施の形態においては、締結手段５１、５５が、一対のブレード４１、４２および突出部３３、３７を共締めしている例について説明した。しかしながら、このことに限られることはなく、一方のブレード（第１ブレード４１）と他方のブレード（第２ブレード４２）とは、共締めではなく、別々のボルト等によって突出部３３、３７に締結されるようにしてもよい。
【００３９】
また、上述した本実施の形態においては、第１の靴底部材３１の第１の突出部３３は、削りだし加工により一体に形成されている例について説明した。しかしながら、このことに限られることはなく、所望の機械的強度を満たすことができれば、第１の突出部３３は、靴底プレート３２に溶接されていてもよく、あるいは、靴底プレート３２と第１の突出部３３とが別々の部品として形成されて、ボルト等の図示しない締結部材によって互いに固定されるようにしてもよい。第２の靴底部材３５についても同様である。
【００４０】
さらに、上述した本実施の形態においては、第１の靴底部材３１が、２つの第１の突出部３３を有している例について説明した。しかしながら、このことに限られることはなく、取付安定性を確保することができれば、第１の靴底部材３１は、１つのみの第１の突出部３３を有するようにしてもよく、あるいは、構造的に可能であれば、３つ以上の第１の突出部３３を有するようにしてもよい。
【００４１】
以上、本考案の実施の形態について詳細に説明してきたが、本考案によるアイススケート靴は、上記実施の形態に何ら限定されるものではなく、本考案の趣旨を逸脱しない範囲において種々の変更が可能である。
【符号の説明】
【００４２】
１０    アイススケート靴
２１    靴本体
２１ａ  靴底
３１    第１の靴底部材
３２    靴底プレート
３２ａ  取付穴
３３    第１の突出部
３３ａ  貫通穴
３４    当接面
３５    第２の靴底部材
３７    第２の突出部
４１    第１ブレード
４２    第２ブレード
４３    氷接地面
４４    貫通穴
４５    貫通穴
５１    第１の締結手段
５２    ボルト
５３    ナット
５５    第２の締結手段
６１    補強部材
６２    ねじ穴
６３    皿ボルト
【図１】
0003180425.tif 000003
【図２】
0003180425.tif 000004
【図３】
0003180425.tif 000005